(57)【要約】      （修正有）【課題】全てのコイン収納部から所望枚数のコインを簡単かつ確実に取り出せるコインケースを提供する。【解決手段】開口した上面を塞ぐ蓋体１１を有するケース本体１２に、種類別に同種のコインＣ１〜Ｃ６を長さ方向に複数枚重ね合わせて収納する複数のコイン収納部１３Ａ〜１３Ｇが配設された矩形ボックス状のコインケースにおいて、全てのコイン収納部は、それぞれの長さ方向の一端側１３ａ〜１３ｇを、ケース本体の４枚の側板１５ａ〜１５ｄのうちの何れかの側板側に配置し、かつ収納された全てのコインの上部が露出する深さを有するように構成した。【選択図】図１
0003203035.tif 000002
【実用新案登録請求の範囲】
【請求項１】
開口された上面を塞ぐ蓋体を有するケース本体に、種類別に同種のコインをコイン収納部の長さ方向に複数枚重ね合わせて収納する複数のコイン収納部が配設された矩形ボックス状のコインケースにおいて、
全ての前記コイン収納部は、それぞれの長さ方向の一端側を、前記ケース本体の４枚の側板のうちの何れかの側板側に配置し、かつ収納された全ての前記コインの上部が露出する深さを有していることを特徴とするコインケース。
【請求項２】
前記複数のコイン収納部のうち、一部の前記コイン収納部の長さ方向の一端側を、前記ケース本体の一方の側板側と、これと向かい合う他方の側板側とに二列で並べるとともに、残りの前記コイン収納部の長さ方向の一端側を、前記ケース本体の一方の側板と直交する側板側に配置したことを特徴とする請求項１に記載のコインケース。
【請求項３】
前記コイン収納部は、１円硬貨用、５円硬貨用、１０円硬貨用、５０円硬貨用、１００円硬貨用および５００円硬貨用の６種類で、
このうち、前記１円硬貨用、前記１０円硬貨用および前記１００円硬貨用の各コイン収納部は、前記それぞれの長さ方向の一端側が、前記ケース本体の一方の側板側に１つずつ並列配置され、
前記５円硬貨用および前記５０円硬貨用の各コイン収納部は、前記それぞれの長さ方向の一端側が、前記ケース本体の一方の側板側と向かい合う他方の側板側に１つずつ並列配置され、かつそれぞれの最大コイン収納枚数が、前記１円硬貨用、前記１０円硬貨用および前記１００円硬貨用の各コイン収納部の最大コイン収納枚数より少なく、
前記５００円硬貨用のコイン収納部は、前記長さ方向の一端側が、前記ケース本体の一方の側板と直交する側板側に１つだけ配置され、
前記ケース本体の一方の側板と直交する側板側の長さは、１つの前記５００円硬貨用のコイン収納部の幅と同一で、
前記蓋体は、上板の端部に、５００円硬貨の直径より長さが短く、かつ閉蓋時に該５００円硬貨の上部のみが前記上板の外に突出する長窓部が形成された請求項１または請求項２に記載のコインケース。
【請求項４】
前記ケース本体の側板の外面には、それぞれのコイン収納部の長さ方向の一端側と対峙する部分に、対応するコイン収納部に収納されるコインの種類を表示する点字が形成されたことを特徴とする請求項１〜請求項３のうち、何れか１項に記載のコインケース。
【請求項５】
前記蓋体の上板のコイン収納部との対峙部分に、該コイン収納部に収納された複数のコインを一度に取り出せるコイン取出口が形成され、
前記蓋体には、前記コイン取出口を、前記コインの取り出し枚数に対応した分だけ開閉する開閉シャッタが設けられたことを特徴とする請求項１〜請求項４のうち、何れか１項に記載のコインケース。
【請求項６】
前記蓋体の上板のコイン収納部との対峙部分に、該コイン収納部に収納された複数のコインを一度に取り出せる矩形状のコイン取出口が形成され、
前記蓋体には、前記コイン取出口を、前記コインの取り出し枚数に対応した分だけ開閉する開閉シャッタが設けられ、
前記蓋体の上板のコイン取出口のうち、前記コイン収納部の幅方向の両側の形成部には、対応するコイン収納部の長さ方向に長く、かつ前記開閉シャッタの幅方向の両端部がスライド自在に支持される一対のスライドガイドが配設され、
前記開閉シャッタは、対応するコイン収納部に収納されるコインの厚さと同一の幅を有する細板片を、前記コイン収納部の長さ方向へ屈曲自在に複数連結した矩形状の蛇腹板で、
前記複数枚の細板片のうち、少なくとも１つの細板片のスライドガイドとの当接面には、凹部および凸部の何れか一方が形成され、
前記スライドガイドの開閉シャッタとの当接面には、前記凹部および凸部の残った方が、対応するコイン収納部に収納された前記コインの厚さと同一ピッチで、前記スライドガイドの長さ方向に連続形成されたことを特徴とする請求項１〜請求項４のうち、何れか１項に記載のコインケース。
【請求項７】
前記蓋体の上板のコイン収納部との対峙部分に、該コイン収納部に収納された複数のコインを一度に取り出せる矩形状のコイン取出口が形成され、
前記蓋体には、前記コイン取出口を、前記コインの取り出し枚数に対応した分だけ開閉する開閉シャッタが設けられ、
前記蓋体の上板のコイン取出口のうち、前記コイン収納部の幅方向の両側の形成部には、対応するコイン収納部の長さ方向に長く、かつ前記開閉シャッタの幅方向の両端部がスライド自在に支持される一対のスライドガイドが配設され、
前記開閉シャッタは、対応するコイン収納部に収納されるコインの厚さと同一の幅を有する細板片を、前記コイン収納部の長さ方向へ屈曲自在に複数連結した矩形状の蛇腹板で、
複数の前記細板片のうち、最先側の細板片の下面には、対応するコイン収納部に収納された硬貨を、前記コイン取出口から取り出すものと、前記コイン収納部に残るものとに分ける仕分け爪が突設され、
前記複数枚の細板片のうち、少なくとも１つの細板片のスライドガイドとの当接面には、凹部および凸部の何れか一方が形成され、
前記スライドガイドの開閉シャッタとの当接面には、前記凹部および凸部の残った方が、対応するコイン収納部に収納された前記コインの厚さと同一ピッチで、前記スライドガイドの長さ方向に連続形成されたことを特徴とする請求項１〜請求項４のうち、何れか１項に記載のコインケース。
【考案の詳細な説明】
【技術分野】
【０００１】
本考案は、複数のコイン収納部に、複数枚のコインを種類別に収納可能なコインケースに関する。
【背景技術】
【０００２】
日本国で通常発行されているコイン（硬貨）を収納するコインケースとして、例えば、枚数や合計金額を容易に数えられるように、複数のコイン収納部に、複数枚の同種のコインを厚さ方向に重ね合わせた状態で収納し、その合計の厚さによって計数できるものが知られている（例えば、特許文献１）。なお、各コイン収納部は、コインの上部のみを露出して収納するように構成されている。
この特許文献１のコインケースでは、コインを重ね合わせた方向を各コイン収納部の長さ方向に一致させ、全てのコイン収納部を一列に並べていた。具体的には、１円硬貨用、５円硬貨用、１０円硬貨用、５０円硬貨用、１００円硬貨用および５００円硬貨用の合計６つのコイン収納部が直列配置され、これらの収納部に５枚ずつ所定のコイン（コイン群）を収納していた。
【先行技術文献】
【特許文献】
【０００３】
【特許文献１】実用新案登録第３０３５４３１号公報
【考案の開示】
【考案が解決しようとする課題】
【０００４】
特許文献１のコインケースでは、このようにコイン収納部の長さ方向を一致させて、全てのコイン収納部を一列に並べていた。そのため、コイン取出し時には、１円硬貨用および５００円硬貨用の２種類のコイン収納部を除き、他の４種類のコイン収納部に入った５円硬貨、１０円硬貨、５０円硬貨、１００円硬貨は、必要な枚数分（金額分）のコインの外周縁に指先を押し当て、コイン収納部の幅方向へ掻き出すようにコインを取り出していた。
しかしながら、各コインの厚さは、最も厚い５００円硬貨でも１．８ｍｍ程度しかない。そのため、指先の感覚をたよりに所望枚数（所定金額）の５円硬貨、１０円硬貨、５０円硬貨、１００円硬貨を正確に取り出すのは困難であった。
【０００５】
そこで、本考案者は鋭意研究の結果、コインケースに配設された全てのコイン収納部を、それぞれの長さ方向の一端側が、ケース本体の４枚の側板のうちの何れかの側板側に配置するようにすれば、上述した問題は全て解消されることを知見し、この考案を完成させた。
【０００６】
本考案は、上述の問題を解決するためになされたもので、その目的とするところは、全てのコイン収納部から所望枚数のコインを簡単かつ確実に取り出すことができるコインケースを提供することにある。
【課題を解決するための手段】
【０００７】
請求項１に記載の本考案は、開口された上面を塞ぐ蓋体を有するケース本体に、種類別に同種のコインをコイン収納部の長さ方向に複数枚重ね合わせて収納する複数のコイン収納部が配設された矩形ボックス状のコインケースにおいて、全ての前記コイン収納部は、それぞれの長さ方向の一端側を、前記ケース本体の４枚の側板のうちの何れかの側板側に配置し、かつ収納された全ての前記コインの上部が露出する深さを有していることを特徴とするコインケースである。
【０００８】
請求項２に記載の本考案は、前記複数のコイン収納部のうち、一部の前記コイン収納部の長さ方向の一端側を、前記ケース本体の一方の側板側とこれと向かい合う他方の側板側とに二列で並べるとともに、残りの前記コイン収納部の長さ方向の一端側を、前記ケース本体の一方の側板と直交する側板側に配置したものである。
【０００９】
請求項３に記載の本考案は、前記コイン収納部が、１円硬貨用、５円硬貨用、１０円硬貨用、５０円硬貨用、１００円硬貨用および５００円硬貨用の６種類で、このうち、前記１円硬貨用、前記１０円硬貨用および前記１００円硬貨用の各コイン収納部は、前記それぞれの長さ方向の一端側が、前記ケース本体の一方の側板側に１つずつ並列配置され、前記５円硬貨用および前記５０円硬貨用の各コイン収納部は、前記それぞれの長さ方向の一端側が、前記ケース本体の一方の側板側と向かい合う他方の側板側に１つずつ並列配置され、かつそれぞれの最大コイン収納枚数が、前記１円硬貨用、前記１０円硬貨用および前記１００円硬貨用の各コイン収納部の最大コイン収納枚数より少なく、前記５００円硬貨用のコイン収納部は、前記長さ方向の一端側が、前記ケース本体の一方の側板と直交する側板側に１つだけ配置され、前記ケース本体の一方の側板と直交する側板側の長さは、１つの前記５００円硬貨用のコイン収納部の長さ方向の一端側の幅（紺収納部の幅方向の長さ）と同一で、前記蓋体は、上板の端部に、５００円硬貨の直径より長さが短く、かつ閉蓋時に該５００円硬貨の上部のみが前記上板の外に突出する長窓部が形成されたものである。
【００１０】
請求項４に記載の本考案は、前記ケース本体の側板の外面のうち、前記複数のコイン収納部の長さ方向の一端側と対峙する部分に、対応するコイン収納部に収納されるコインの種類を表示する点字が形成されたものである。
【００１１】
請求項５に記載の本考案は、前記蓋体の上板のコイン収納部との対峙部分に、該コイン収納部に収納された複数のコインを一度に取り出せるコイン取出口が形成され、前記蓋体には、前記コイン取出口を、前記コインの取り出し枚数に対応した分だけ開閉する開閉シャッタが設けられたものである。
【００１２】
請求項６に記載の本考案は、前記蓋体の上板のコイン収納部との対峙部分に、該コイン収納部に収納された複数のコインを一度に取り出せる矩形状のコイン取出口が形成され、前記蓋体には、前記コイン取出口を、前記コインの取り出し枚数に対応した分だけ開閉する開閉シャッタが設けられ、前記蓋体の上板のコイン取出口のうち、前記コイン収納部の幅方向の両側の形成部には、対応するコイン収納部の長さ方向に長く、かつ前記開閉シャッタの幅方向の両端部がスライド自在に支持される一対のスライドガイドが配設され、前記開閉シャッタは、対応するコイン収納部に収納されるコインの厚さと同一の幅を有する細板片を、前記コイン収納部の長さ方向へ屈曲自在に複数連結した矩形状の蛇腹板で、前記複数枚の細板片のうち、少なくとも１つの細板片のスライドガイドとの当接面には、凹部および凸部の何れか一方が形成され、前記スライドガイドの開閉シャッタとの当接面には、前記凹部または凸部の残った方が、対応するコイン収納部に収納された前記コインの厚さと同一ピッチで、前記スライドガイドの長さ方向に連続形成されたものである。
【００１３】
請求項７に記載の本考案は、前記蓋体の上板のコイン収納部との対峙部分に、該コイン収納部に収納された複数のコインを一度に取り出せる矩形状のコイン取出口が形成され、前記蓋体には、前記コイン取出口を、前記コインの取り出し枚数に対応した分だけ開閉する開閉シャッタが設けられ、前記蓋体の上板のコイン取出口のうち、前記コイン収納部の幅方向の両側の形成部には、対応するコイン収納部の長さ方向に長く、かつ前記開閉シャッタの幅方向の両端部がスライド自在に支持される一対のスライドガイドが配設され、前記開閉シャッタは、対応するコイン収納部に収納されるコインの厚さと同一の幅を有する細板片を、前記コイン収納部の長さ方向へ屈曲自在に複数連結した矩形状の蛇腹板で、複数の前記細板片のうち、最先側の細板片の下面には、対応するコイン収納部に収納された硬貨を、前記コイン取出口から取り出すものと、前記コイン収納部に残るものとに分ける仕分け爪が突設され、前記複数枚の細板片のうち、少なくとも１つの細板片のスライドガイドとの当接面には、凹部または凸部の一方が形成され、前記スライドガイドの開閉シャッタとの当接面には、前記凹部および凸部の残った方が、対応するコイン収納部に収納された前記コインの厚さと同一ピッチで、前記スライドガイドの長さ方向に連続形成されたものである。
【００１４】
コインの種類は限定されない。例えば、日本国政府が発行する１円硬貨（直径２０ｍｍ、厚さ１．５ｍｍ）、５円硬貨（外径２２ｍｍ、厚さ１．５ｍｍ）、１０円硬貨（直径２３．５ｍｍ、厚さ１．５ｍｍ）、５０円硬貨（外径２１ｍｍ、厚さ１．７ｍｍ）、１００円硬貨（外径２２．６ｍｍ、厚さ１．７ｍｍ）、５００円硬貨（外径２６．５ｍｍ、厚さ１．８ｍｍ）の他、各種の記念硬貨などが挙げられる。また、外国の硬貨や遊戯用コインなどもでもよい。
コインケースの素材は任意である。例えば、各種のプラスチック（例えばポリプロピレン、ポリエチレン、ポリ塩化ビニルなど）、各種の金属（例えば鉄、ステンレス、アルミニウム、銅、ニッケル、またはこれらの合金など）、各種の木材（漆コーティング品を含む）を採用することができる。
コインケースは、閉蓋状態で平面視して四角形の箱型容器（入れ物）である。サイズは任意である。
【００１５】
ケース本体とは、コインケースの本体を構成し、かつ上面が開口した平面視して矩形状の容器である。
ケース本体は、矩形状の底板と、底板の四辺から立ち上がる４枚の側板とを有している。これらの側板の外面のうち、それぞれのコイン収納部の長さ方向の一端側と対峙する部分に、対応するコイン収納部に収納されるコインの種類を表示する点字を設けてもよい。
また、コイン収納部とは、ケース本体の２枚以上の同一種類のコインを、コイン収納部の長さ方向に重ね合わせて収納する溝部である。
各コイン収納部の深さは、収納された各コインの上部が露出する深さである。これは、コイン収納部に入った複数枚のコインのうち、最もケース本体の側板側に配置されたコインの平坦面の上部に例えば親指の腹を押し当てて、このコインをコイン収納部から容易に取り出すためである。
コイン収納部の長さ方向に直交する断面形状は任意である。例えば、半円状、円弧状、Ｕ字状、矩形状などを採用することができる。
【００１６】
コイン収納部の形成板（形成壁）は、底面の形成板と、左右側面の形成板と、長さ方向の両端面の形成板からなる。なお、複数のコイン収納部が並列配置されている場合、側面形成壁が隣接するコイン収納部の間の仕切り板となる。
また、コイン収納部の長さ方向の一端側とは、コイン収納部の長さ方向（コインの重ね合わせ方向）の両端部のうち、何れか一方の端部の側をいう。この一端側は、ケース本体の対応する側板の（内側または外側）を兼ねてもよい。
【００１７】
ここでいう「全てのコイン収納部が、それぞれの長さ方向の一端側を、ケース本体の４枚の側板のうちの何れかの側板側に配置される」とは、ケース本体に配設された全てのコイン収納部において、コイン収納部の長さ方向の一方の端面を形成する板（一端面形成板）と、ケース本体の４つの側板のうちの何れか１つ乃至４つの側板とが、互いの面同士を正対して配置されている状態をいう。
例えば、全てのコイン収納部を、それぞれの長さ方向の一端側と、ケース本体の一方の側板側（１枚の側板の表面側または裏面側）とが正対するように、一列に並べてもよい。
その他、一部のコイン収納部を、その長さ方向の一端側が、ケース本体の一方の側板側に正対するように並列配置するとともに、残りのコイン収納部を、その長さ方向の一端側が、ケース本体の一方の側板と向かい合う他方の側板側に正対するように並列配置してもよい。この場合、ケースの一方の側板と他方の側板との対峙方向が、各コイン収納部におけるコイン収納部の長さ方向（コインの重ね合わせ方向）となる。
【００１８】
さらに、全てのコイン収納部のうち、その一部を、コイン収納部の長さ方向の一端側をケース本体の一方の側板側（側面側）に配置し、残りのコイン収納部を、ケース本体の一方の側板と直交する側板側に配置してもよい。
具体例を挙げれば、１円硬貨用、１０円硬貨用および１００円硬貨用の各コイン収納部の長さ方向の一端側を、ケース本体の一方の側板側に１つずつ並列配置し、また５円硬貨用および１０円硬貨用の各コイン収納部の長さ方向の一端側を、ケース本体の一方の側板と向かい合う他方の側板側に１つずつ並列配置し、さらに５００円硬貨用のコイン収納部の長さ方向の一端側を、ケース本体の一方の側板と直交する側板側に１つだけ配置してもよい。このとき、ケース本体の一方の側板と直交する側板側の長さは、１つの５００円硬貨用のコイン収納部の一端側の幅と略同一である。具体的には２８〜３５ｍｍである。
１回の支払い時に使用される理想的な各硬貨の最大使用枚数は、１円硬貨、１０円硬貨、１００円硬貨は最大で４枚、５円硬貨、５０円硬貨、５００円硬貨は最大で１枚である。これを踏まえて、その必要枚数の違いに応じて、製造時に各コイン収納部の最大収納枚数を決定してもよい。
【００１９】
蓋体は、矩形状の上板と、その四辺から下方に延びる４枚の側板とを有している。
蓋体の素材は、ケース本体と同一でも、異なってもよい。蓋体は、例えばヒンジを介してケース本体と一体形成してもよい。または、ケース本体と別体でもよい。
また、ケース本体の長さ方向の一端部に、内部空間に５００円硬貨用のコイン収納部が配置されている場合、上板の端部に、５００円硬貨の直径より長さが短く、かつ閉蓋時に５００円硬貨の上部のみが上板より上方に突出する長窓部を形成してもよい。長窓部を通して５００硬貨の上部をケース外に配置することで、コインケースの高さ（厚さ）が低くなり、コインケースの薄肉化が図れる。
長窓部は、１枚の５００円硬貨に対して１つずつ形成しても、複数枚の５００円硬貨の上部をまとめて露出できるように形成してもよい。ここでいう長窓部の長さ方向とは、ケース本体の一方向の側板と直交する側板の長さ方向である。
【００２０】
また、蓋体の上板には、そのコイン収納部との対峙部分に、コイン収納部に収納された複数のコインを一度に取り出せる矩形状のコイン取出口を形成してもよい。この場合、蓋体には、コインの取り出し枚数に対応した分だけ移動して、コイン取出口をそのコイン枚数分（領域）だけ開閉する開閉シャッタを設けるものとする。
コイン取出口は、上板の全てのコイン収納部との対峙部分（対向領域）に形成してもよいし、一部のコイン収納部との対峙部分にのみ形成してもよい。
コイン取出口のサイズは、対応するコイン収納部に収納された１枚乃至全部のコインを所望の枚数に応じて一度に取り出せれば任意である。ここでのコイン取出口の長さ方向は、対応する（ケース閉蓋時に対峙する）コイン収納部の長さ方向とする。
【００２１】
開閉シャッタの素材は任意である。例えば、上記コインケースの素材の欄に記載されたものを採用することができる。ただし、請求項７の開閉シャッタの場合には、指で押し下げることにより押圧部分が下方へ弾性変形可能できるように、例えば、ポリプロピレン、ポリエチレン、ポリ塩化ビニルなどの各種のプラスチックを採用することが望ましい。開閉シャッタは、硬板でも、湾曲自在なシートや屈曲自在な蛇腹部材（蛇腹板）でもよい。蛇腹部材の場合、対応するコイン収納部に収納されるコインの厚さと同一の幅を有する細板片を、コイン収納部の長さ方向へ屈曲自在に複数連結した蛇腹板としてもよい。開閉シャッタの厚さは任意である。ただし、請求項７のプラスチック製のものの場合には、弾性変形が可能なように厚さ数ｍｍ程度が好ましい。
開閉シャッタは、コイン取出口の長さ方向に移動自在なスライド部材でも、開閉シャッタの一端部からコインの取り出し枚数に対応した分の長さ（範囲）だけ捲り上げたり、その捲り上げ部分を元に戻すものでもよい。このうち、スライド式の開閉シャッタのスライド構造としては、例えば上板のコイン取出口の形成部分に、対応するコイン収納部の長さ方向に長いスライドガイドを設け、これに沿って開閉シャッタをスライド自在に設けてもよい。
【００２２】
また、開閉シャッタとして上記蛇腹板を採用した場合には、複数枚の細板片のうち、少なくとも１つの細板片のスライドガイドとの当接面に、凹部および凸部の何れか一方を形成し、スライドガイドの開閉シャッタとの当接面に、凹部または凸部の残った方を、対応するコイン収納部に収納されたコインの厚さと同一ピッチで、かつスライドガイドの長さ方向に連続形成した方が望ましい。これにより、開閉シャッタのコイン１枚分毎のブラインド（非目視）による開閉操作が可能となる。
さらに、開閉シャッタを構成する複数の細板片のうち、最先側の細板片の下面には、対応するコイン収納部に収納された硬貨を、コイン取出口から取り出すものと、コイン収納部に残るものとに分ける仕分け爪を突設してもよい。これにより、コイン取出し時に開閉シャッタの最先側の細板片を指で押し下げることで、コイン取出口から取り出される小群と、コイン収納部に残る小群との隙間に仕分け爪が差し込まれ、コイン取出口から取り出されるコインのみを振り分けて取り出すことができる。
なお、このように蓋体の上板のコイン収納部との対峙部分に、コイン収納部に収納された複数のコインを一度に取り出せるコイン取出口を形成する一方、蓋体に、コイン取出口をコインの取り出し枚数に対応した分だけ開閉する移動式の開閉シャッタを設けて、ケース閉蓋状態で所望のコインを所望枚数だけ一纏めに取り出すという技術思想は、蓋付きのケース本体の内部空間にコイン収納部が配置されたものであれば、どのようなコインケースに適用してもよい。
【考案の効果】
【００２３】
請求項１に記載の考案によれば、全てのコイン収納部の長さ方向の一端側を、矩形状のケース本体の４枚の側板のうちの何れかの側板側に配置し、かつ各コイン収納部の深さを、収納された全てのコインの上部が露出する深さとしたため、コイン収納部に収納された複数枚のコインのうち、最もケース本体の側板側に配置されたコインの平坦面の上部に指の腹を押し当てて、このコインをコイン収納部から容易に取り出す（上方へ引き抜く）ことができる。これにより、全てのコイン収納部から所望枚数のコインを簡単かつ確実に取り出すことができる。
【００２４】
請求項２に記載の本考案によれば、複数のコイン収納部のうち、一部のコイン収納部の長さ方向の一端側を、ケース本体の一方の側板側と、これと向かい合う他方の側板側とに二列で並べるとともに、残りのコイン収納部の長さ方向の一端側を、ケース本体の一方の側板と直交する側板側に配置している。これにより、ケース本体の４つの辺部のうち、３つ以上の辺部からコインの抜き取りができ、本考案の効果を有するコインケースのコンパクト化を図ることができる。
【００２５】
請求項３に記載の本考案によれば、ケース本体の一方の側板側に１円硬貨用、１０円硬貨用および１００円硬貨用の各コイン収納部の長さ方向の一端側を１つずつ並列配置し、かつケース本体の他方の側板側に、５円硬貨用および５０円硬貨用の各コイン収納部の長さ方向の一端側を１つずつ並列配置するとともに、ケース本体の一方の側板と直交する側板側に５００円硬化用のコイン収納部の長さ方向の一端側を１つ配置した。また、ケース本体の一方の側板と直交する側板側の長さを、１つの５００円硬貨用のコイン収納部の幅と同一とした。このように構成したことで、日本で流通する６種類の硬貨について、その使用頻度に応じた枚数割合でのコイン収納部への収納が可能であるとともに、コインケースのコンパクト化も図ることができる。
さらに、コインケースの閉蓋時、蓋体の上板の端部に形成された長窓部から５００円硬貨の上部のみが突出する構成を採用したため、５００円硬貨を完全に収納する従来品に比べて、コインケースの薄肉化を図ることができる。また、長窓部の長さを５００円硬貨の直径より短くしたことで、ケース携帯時、５００円硬貨が長窓部から零れ落ちない。
【００２６】
請求項４に記載の本考案によれば、ケース本体の側板の外面のうち、コイン収納部の長さ方向の一端側と対峙する部分に、対応するコイン収納部に収納されたコインの種類を表わす点字を設けたため、視覚障害者はこの点字を指先で読み取り、対応するコイン収納部から所望の硬貨を取り出すことができる。
【００２７】
請求項５に記載の本考案によれば、ケース閉蓋状態で、開閉シャッタをコインの取り出し枚数に対応した分だけ移動し、コイン取出口の開口領域をその枚数分のコインがまとめて取り出せるサイズとする。その後、この状態のまま例えばコインケースを上下反転することで、コインの自重により、コイン取出口の開口領域を通過して、対峙するコイン収納部から所望枚数のコインを一度に取り出すことができる。
【００２８】
請求項６に記載の本考案によれば、所定のコイン収納部から所望枚数のコインを取り出す際には、まず所定のコインケースを、ケース本体の一方の側板側を下に向けて傾けて元に戻す。これにより、各コイン収納部に収納された全てのコインは、対応するコイン収納部の一端側へ移動する。このとき、各コインは、それぞれの向かい合う平坦面同士が接触状態で重なり合う。これにより、各コインと対応する細板片とがそれぞれ上下に正対する。
次に、所望のコイン収納部の開閉シャッタを、一対のスライドガイドに沿って、各コインの取り出し枚数分だけ、コイン取出口の長さ方向へスライドさせる。このとき、開閉シャッタの凸部および凹部の何れかを有した細板片は、その幅が対応するコインの厚さと略同一であるとともに、各スライドガイドの開閉シャッタとの当接面には、凸部および凸部の残った方が、スライドガイドの長さ方向へ連続形成されている。そのため、開閉シャッタをコインの所望枚数分だけ開くとき、使用者は、コイン取出口の開度が、対応するコインの１枚分だけ大きくなる毎に、細板片の凸部および凸部の何れか一方が、対応するスライドガイドの凸部および凸部の残った方に嵌った嵌合音と、その際の若干の衝撃（振動）とを、耳や指に感じる。
【００２９】
これにより、使用者（視覚障害者を含む）は、数回の練習を行うだけで、対応するコイン取出口の開口領域を覗き込んでコインの露出枚数を数えなくても、開閉シャッタのブラインド操作により、所望枚数のコインの取り出しが可能となる。もちろん、対応するコイン取出口の開口領域を覗き込み、そこから露出したコインを数えてから取り出してもよい。
その後、この状態でコインケースを上下反転することで、コインの自重で、対応するコイン取出口の開口領域から、所望のコイン収納部に収納された所望枚数のコインを一度に取り出すことができる。
【００３０】
請求項７に記載の本考案によれば、開閉シャッタの所定の細板片には、その裏面から下方へ仕分け爪が突出しているため、コイン取出し時に開閉シャッタの最先側の細板片を指で押し下げることで、コイン取出口から取り出される小群と、コイン収納部に残る小群との隙間に仕分け爪を差し込んで振り分けることができる。これにより、所望枚数のコインの小群を正確に取り出すことができる。
【図面の簡単な説明】
【００３１】
【図１】本考案の実施例１に係るコインケースの使用状態の斜視図である。
【図２】本考案の実施例１に係るコインケースの正面図である。
【図３】本考案の実施例１に係るコインケースの背面図である。
【図４】本考案の実施例１に係るコインケースの平面図である。
【図５】本考案の実施例１に係るコインケースの底面図である。
【図６】本考案の実施例１に係るコインケースの右側面図である。
【図７】本考案の実施例１に係るコインケースの閉蓋状態の左側面図である。
【図８】本考案の実施例１に係るコインケースの開蓋状態の斜視図である。
【図９】本考案の実施例２に係るコインケースの閉蓋状態の斜視図である。
【図１０】本考案の実施例２に係るコインケースの１円硬貨用のコイン収納部の拡大断面図である。
【図１１】本考案の実施例２に係るコインケースにおける１円硬貨の取り出し途中状態を示す拡大断面図である。
【図１２】本考案の実施例２に係るコインケースにおける１円硬貨の取り出し中を示す拡大断面図である。
【考案を実施するための形態】
【００３２】
以下、本考案の実施例を具体的に説明する。ここでは、日本で流通する６種類の硬貨（１円硬貨、５円硬貨、１０円硬貨、５０円硬貨、１００円硬貨および５００円硬貨）を収納するコインケースを例にとる。
【実施例】
【００３３】
図１において、１０は本考案の実施例１に係るコインケースで、このコインケース１０は、開口された上面を塞ぐ蓋体１１を有するケース本体１２に、種類別に同種の硬貨（コイン）Ｃ１〜Ｃ６をコイン収納部１３Ａ〜１３Ｇの長さ方向に複数枚重ね合わせて収納する複数のコイン収納部１３Ａ〜１３Ｇが配設された矩形ボックス状のものである。
【００３４】
以下、これらの構成部品を具体的に説明する。
図１〜図８に示すように、ケース本体１２は、平面視して横長矩形状の平らな底板１４の４つの辺から４枚の側板１５ａ〜１５ｄが立ち上がった上面開口のプラスチック容器である。底板１４および各側板１５ａ〜１５ｄの厚さは２ｍｍである。
ケース本体１２のサイズは、一方の側板１５ａの長さ（ケース本体１２の長辺の長さ）が８０ｍｍで、この一方の側板１５ａと直交する側板１５ｂの長さ（ケース本体１２の短辺の長さ）が、５００円硬貨用のコイン収納部１３Ｆの幅と略同じ３０ｍｍで、その高さ（厚さ）が２０ｍｍである。
また、ケース本体１２の側板１５ａ〜１５ｄの外面のうち、各コイン収納部１３Ａ〜１３Ｆの長さ方向の一端側１３ａ〜１３ｆと対峙する部分には、対応するコイン収納部１３Ａ〜１３Ｆに収納される硬貨Ｃ１〜Ｃ６の種類を表示する点字Ｐが配設されている。
【００３５】
ケース本体１２の内部空間には、１円硬貨用のコイン収納部１３Ａ、５円硬貨用のコイン収納部１３Ｂ、１０円硬貨用のコイン収納部１３Ｃ、５０円硬貨用のコイン収納部１３Ｄ、１００円硬貨用のコイン収納部１３Ｅおよび５００円硬貨用のコイン収納部１３Ｆの６種類と、フリー（予備）用のコイン収納部１３Ｇとが、厚さ１ｍｍの複数枚の仕切り板１６により区画して配設されている。これらのコイン収納部１３Ａ〜１３Ｇはそれぞれコの字形の溝部で、それぞれの深さは、収納された全ての硬貨Ｃ１〜Ｃ６の上部のみが露出する１５ｍｍに設計されている。
このうち、１円硬貨用のコイン収納部１３Ａ、１０円硬貨用のコイン収納部１３Ｃおよび１００円硬貨用のコイン収納部１３Ｅは、それぞれの長さ方向の一端側１３ａ，１３ｃ，１３ｅが、ケース本体１２の一方の側板１５ａ側に１つずつ並列配置されている。各サイズは、１円硬貨用のコイン収納部１３Ａが長さ２０ｍｍ、幅２１ｍｍで、１０円硬貨用のコイン収納部１３Ｃが長さ２０ｍｍ、幅２５ｍｍで、１００円硬貨用のコイン収納部１３Ｅが長さ２０ｍｍ、幅２３ｍｍである。これらの最大コイン収納枚数は１０枚である。
【００３６】
また、５円硬貨用のコイン収納部１３Ｂ、５０円硬貨用のコイン収納部１３Ｄおよびフリーのコイン収納部１３Ｇは、各長さ方向の一端側１３ｂ，１３ｄ，１３ｇが、ケース本体１２の一方の側板１５ａと向かい合う他方の側板１５ｃ側に１つずつ並列配置されている。それぞれのサイズは、５円硬貨用のコイン収納部１３Ｂが長さ１０ｍｍ、幅２３ｍｍで、５０円硬貨用のコイン収納部１３Ｄが長さ１０ｍｍ、幅２２ｍｍで、フリーのコイン収納部１３Ｇが長さ１０ｍｍ、幅が２４ｍｍである。これらの最大コイン収納枚数は５枚である。
さらに、５００円硬貨用のコイン収納部１３Ｆは、その長さ方向の一端側１３ｆが、ケース本体１２の一方の側板１５ａと直交する１つの側板１５ｂ側に１つだけ配置されている。５００円硬貨用のコイン収納部１３Ｆは、その長さ方向に３枚の５００円硬貨Ｃ６が個別に収納できるように、平行な２枚の仕切り板１６によって区画されている。このように構成したことで、日本で流通する６種類の硬貨Ｃ１〜Ｃ６について、その使用頻度に応じた枚数割合での収納が可能であるとともに、コインケース１０のコンパクト化も図ることができる。
【００３７】
蓋体１１は、平面視して横長矩形状の平坦な上板１７と、上板１７の４つの辺から下方に向かって４枚の側板１８ａ〜１８ｄが延出された、下面が開口するプラスチック容器である。上板１７と各側板１８ａ〜１８ｄの厚さは２ｍｍである。各側板１８ａ〜１８ｄと、これらにケース閉蓋時に突き合わされるケース本体１２の各側板１５ａ〜１５ｄとの高さは同一である。
上板１７の長さ方向の一端部には３つの長窓部１９が、上板１７の長さ方向に所定ピッチで配設されている。これらの長窓部１９は、５００円硬貨Ｃ６の直径より長さが短く、かつ閉蓋時に、対応する５００円硬貨用のコイン収納部１３Ｆに収納された５００円硬貨Ｃ６の上部のみを、上板１７から突出するための貫通孔である。各長窓部１９は、それぞれの長さ方向をケース本体１２の側板１５ｃと平行に配置されている。各長窓部１９のサイズは、長さ２０ｍｍ、幅２ｍｍである。
蓋体１１とケース本体１２とは、ケース本体１２の他方の側板１５ｃの上縁部と、これに対応する蓋体１１の側板１８ｃの上縁部とが、３つの樹脂ヒンジＨを介して一体的に連結されている。また、蓋体１１の樹脂ヒンジＨとは反対の側板１８ａの外面には、その長さ方向の中間部の開口縁部分に、矩形状をした掛止リング１８ｅの基部が一体成形されている。一方、ケース本体１２の一方の側板１５ａの長さ方向の中間部の外面には、対応する掛止リング１８ｅが掛止される横長矩形状の掛止突起１５ｅが一体成形されている。
【００３８】
次に、図１〜図８を参照して、本考案の実施例１に係るコインケース１０の使い方を説明する。
図１に示すように、コインケース１０を使用する前に、まず１〜５００円の６種類の硬貨Ｃ１〜Ｃ６を対応するコイン収納部１３Ａ〜１３Ｆに所定枚数だけ収納する。フリーのコイン収納部１３Ｇには、余剰分の任意の硬貨Ｃ１〜Ｃ６を収納する。
ケース携帯時には、ケース本体１２の開口部を蓋体１１により塞ぎ、掛止リング１８ｅを掛止突起１５ｅに掛止することでコインケース１０をしっかりと閉蓋する。この状態で、コインケース１０をバッグや衣服のポケット等に入れて持ち運ぶことができる。このとき、蓋体１１の上板１７の長窓部１９から５００円硬貨Ｃ６の上部のみが突出する。これにより、５００円硬貨Ｃ６の全体を収納する従来ケースに比べて、コインケース１０の薄肉化を図ることができる。また、各長窓部１９の長さを５００円硬貨Ｃ６の直径より短くしたため、ケース携帯時に、５００円硬貨Ｃ６が長窓部１９を通って零れ落ちない。また、視覚障害者は、ケース閉蓋時には長窓部１９から突出した５００円硬貨Ｃ６を基準として、またケース開蓋時には、ケース本体１２における５００硬貨Ｃの収納位置を基準にして、ケース本体１２に２列に並べられた１〜１００円の５種類の硬貨Ｃ１〜Ｃ５のコイン収納部１３Ａ〜１３Ｅの並び方を把握することができる。これにより、視覚障害者がコインケース１０から所望の硬貨Ｃ１〜Ｃ６を正確に取り出すことができる。
【００３９】
図１に示すように、買い物等により硬貨Ｃ１〜Ｃ６を使用する際には、掛止突起１５ｅから掛止リング１８ｅを外し、蓋体１１を開いてケース本体１２の上面を開口する。この状態で、コインケース１０から所望の硬貨Ｃ１〜Ｃ６を所定の枚数だけ取り出す。具体的には、選択したコイン収納部１３Ａ〜１３Ｆに収納される複数枚の硬貨Ｃ１〜Ｃ６のうち、最もケース本体１２の一方の側板１５ａ側に配置されたものの平坦面の露出部分（上部）に親指の腹を押し当て、この状態でその硬貨を引き上げ、親指と人差し指でこれを挟む。これにより、所望の硬貨をコイン収納部１３から容易に取り出すことができる。その結果、選択した全てのコイン収納部１３Ａ〜１３Ｇから所望枚数（所望金額分）の硬貨Ｃ１〜Ｃ６を簡単かつ確実に取り出すことができる。
【００４０】
このように、ケース本体１２では、６つのコイン収納部１３Ａ〜１３Ｇのうち、一部のコイン収納部１３Ａ，１３Ｃ，１３Ｅの長さ方向の一端側１３ａ，１３ｃ，１３ｅを、ケース本体１２の一方の側板１５ａ側に並べるとともに、コイン収納部１３Ｂ、１３Ｄ、１３Ｇの長さ方向の一端側１３ｂ、１３ｄ、１３ｇを、ケース本体１２の一方の側板１５ａと向かい合う他方の側板１５ｃ側に並べ、さらにコイン収納部１３Ｆの長さ方向の一端側１３ｆを、ケース本体１２の一方の側板１５ａと直交する側板１５ｂ側に配置している。これにより、ケース本体１２の４つの辺部のうち、３つの辺部から硬貨Ｃ１〜Ｃ６の抜き取り操作ができ、本考案の効果を有するコインケース１０のコンパクト化を図ることができる。
また、ケース本体１２の側板１５ａ〜１５ｃの外面のうち、各コイン収納部１３Ａ〜１３Ｇの長さ方向の一端側１３ａ〜１３ｇと対峙する部分に、対応するコイン収納部１３Ａ〜１３Ｇに収納された硬貨Ｃ１〜Ｃ６の種類を表わす点字Ｐを配設したため、視覚障害者はこの点字Ｐを読み取ることでコイン収納部１３Ａ〜１３Ｆ（１３Ｇ）から所望の硬貨Ｃ１〜Ｃ６を取り出すことができる。
【００４１】
次に、図９〜図１２を参照して、この考案の実施例２に係るコインケースを説明する。
図９および図１０に示すように、この実施例２のコインケース１０Ａの特徴は、ケース本体１２Ａの長辺側となる一方の側板１５ａ側に、１円硬貨用のコイン収納部１３Ａ、１０円硬貨用のコイン収納部１３Ｃおよび１００円硬貨用のコイン収納部１３Ｅの各長さ方向の一端側を並列配置し、また蓋体１１Ａの上板１７Ａの各コイン収納部１３Ａ，１３Ｃ，１３Ｅとの対峙部分に、対応するコイン収納部１３Ａ，１３Ｃ，１３Ｅに収納された複数枚の硬貨Ｃ１，Ｃ３，Ｃ５を一度に取り出せるコイン取出口２０を３つ配設し、さらに蓋体１１Ａに、コイン取出口２０を硬貨Ｃ１，Ｃ３，Ｃ５の取り出し枚数に対応した分だけ開閉する３枚の開閉シャッタ２１を配設した点である。
【００４２】
以下、これらの構成部品を具体的に説明する。
コインケース１０Ａは、ケース本体１２Ａの一方の側板１５ａの辺の長さが、３種類の硬貨Ｃ１，Ｃ３，Ｃ５の各平坦面（表面または裏面）を仮想平面に揃えて並べた長さと略同じで、かつ各コイン収納部１３Ａ，１３Ｃ，１３Ｅの長さは、対応する硬貨Ｃ１，Ｃ３，Ｃ５が１０枚ずつ収納可能な長さである。また、各コイン収納部１３Ａ，１３Ｃ，１３Ｅの長さ方向の他端側とケース本体１２Ａの他端側の側板１５ｃとの間には、対応するコイン取出口２０の開度に応じた分だけ開閉シャッタ２１の基端部分が収納される３つのシャッタ退避空間部２２が配設されている。
【００４３】
蓋体１１Ａの上板１７Ａには、各コイン収納部１３Ａ，１３Ｃ，１３Ｅに対峙する部分（領域）に、平面視して対応するコイン収納部１３Ａ，１３Ｃ，１３Ｅと同一形状および同一サイズのコイン取出口２０がそれぞれ形成されている。
上板１７の各コイン収納部１３Ａ，１３Ｃ，１３Ｅの幅方向の両側形成部の裏側には、対応した開閉シャッタ２１の幅方向の両端部が挿入される左右一対のスライドガイド２３が配設されている。各対のスライドガイド２３は、断面コの字形の細長い樋で、互いの開口面を対峙させている。また、各スライドガイド２３には、その下板２３ａの内面（上面）と、その上板２３ｂの内面（下面）とに、開閉シャッタ２１の後述する断面凸レンズ状を有する最先側の細板片２４Ａに対応した（嵌入する）凹レンズ状の窪み２３ｃが、その長さ方向へ波状に連続形成されている。
【００４４】
各開閉シャッタ２１は、蓋体１１Ａと同じプラスチック素材からなる厚さ数ｍｍの同一サイズの細板片（エレメント）２４を、樹脂ヒンジｈを介して、開閉シャッタ２１の長さ方向（コイン取出口２０の長さ方向）へ屈曲自在に１０本連結した小判な矩形状の蛇腹板である。各細板片２４の幅は、対応するコイン収納部１３Ａ，１３Ｃ，１３Ｅに収納される硬貨Ｃ１，Ｃ３，Ｃ５の厚さと略同一である。具体的には、１円硬貨Ｃ１と対峙する細板片２４の幅は約１．５ｍｍ、２０円硬貨Ｃ３と対峙する細板片２４の幅は約１．５ｍｍ、１００円硬貨Ｃ５と対峙する細板片２４の幅は約１．７ｍｍである。
また、各開閉シャッタ２１の最先側の細板片２４Ａは、その長さ方向に直交する断面が凸レンズ状（ビア樽状）を有している。最先側の細板片２４Ａの最大厚さは、その他の細板片２４より１ｍｍ程度厚い。これらの細板片２４の厚さは、下板２３ａと上板２３ｂとの最も狭い隙間の高さ（上下方向の長さ）と略同じである。そのため、開閉シャッタ２１のスライド時、その他の細板片２４はほとんど抵抵抗なくスライドできる。
さらに、最先側の細板片２４Ａの長さ方向の中間部の上面には、肉盛りされた指掛け部２４ａが一体形成されている。さらに、最先側の細板片２４Ａの先端部分（先端側の辺部分）のうち、その長さ方向の中間部の下面（内面）には、対応するコイン収納部１３Ａ，１３Ｃ，１３Ｅに収納された硬貨Ｃ１，Ｃ３，Ｃ５の群体を、コイン取出口２０から取り出される（排出される）ものと、コイン収納部１３Ａ，１３Ｃ，１３Ｅに残るものとに分ける仕分け爪２５が突設されている。
【００４５】
次に、図９〜図１２を参照して、この考案の実施例２に係るコインケース１０Ａの使い方を説明する。
図９および図１０に示すように、実施例２のコインケース１０Ａは、３つコイン収納部１３Ａ，１３Ｃ，１３Ｅに、それぞれ対応する硬貨Ｃ１，Ｃ３，Ｃ５が１０枚ずつ収納された閉蓋状態で使用される。
所定のコイン収納部１３Ａ，１３Ｃ，１３Ｅから所望枚数の硬貨Ｃ１，Ｃ３，Ｃ５を取り出す際には、まずコインケース１０Ａを、ケース本体１２Ａの一方の側板１５ａ側を下に向けて傾けた後、元に戻す。これにより、各コイン収納部１３Ａ，１３Ｃ，１３Ｅに収納された全ての硬貨Ｃ１，Ｃ３，Ｃ５は、対応するコイン収納部１３Ａ，１３Ｃ，１３Ｅの一端側１３ａ，１３ｃ，１３ｅへ移動する。このとき、各硬貨Ｃ１，Ｃ３，Ｃ５は、それぞれの向かい合う平坦面同士が接触状態で重なり合うことで、各硬貨Ｃ１，Ｃ３，Ｃ５と、対応する細板片２４とがそれぞれ上下に正対する。
【００４６】
次に、対応する指掛け部２４ａに親指などの指Ｆを掛け、所望の硬貨Ｃ１，Ｃ３，Ｃ５を収めたコイン収納部１３Ａ，１３Ｃ，１３Ｅの開閉シャッタ２１を、一対のスライドガイド２３に沿って、各硬貨Ｃ１，Ｃ３，Ｃ５の取り出し枚数分だけ、コイン取出口２０の長さ方向へスライドさせる。
このとき、開閉シャッタ２１の最先側の細板片２４Ａは、長さ方向に直交する断面が凸レンズ状で、かつ各細板片２４の幅が対応する硬貨Ｃ１，Ｃ３，Ｃ５の厚さと略同一であるとともに、各スライドガイド２３の下板２３ａおよび上板２３ｂの各内面には、前記凹レンズ状の窪み２３ｃが、その長さ方向へ連続形成されている。そのため、開閉シャッタ２１を硬貨Ｃ１，Ｃ３，Ｃ５の所望枚数分だけ開くとき、使用者は、コイン取出口２０の開度が、対応する硬貨Ｃ１，Ｃ３，Ｃ５の１枚分大きくなる毎に、最先側の細板片２４Ａの両端部が、対応するスライドガイド２３の窪み２３ｃに嵌る嵌合音と、その際の若干の衝撃（振動）とを、耳や指Ｆに感じる。
【００４７】
これにより、使用者（視覚障害者を含む）は、数回の練習を行うだけで、対応するコイン取出口２０の開口領域を覗き込んで硬貨Ｃ１，Ｃ３，Ｃ５の露出枚数を数えなくても、ブラインド操作により、所望枚数の硬貨Ｃ１，Ｃ３，Ｃ５の取り出しが可能となる。もちろん、対応するコイン取出口２０の開口領域を覗き込み、そこから露出した硬貨Ｃ１，Ｃ３，Ｃ５を数えてから取り出してもよい。このような操作を、取り出し希望の硬貨Ｃ１，Ｃ３，Ｃ５が収納された全てのコイン収納部１３Ａ，１３Ｃ，１３Ｅについて行う。
【００４８】
その後、この状態のまま、コインケース１０Ａを上下反転する（図１２）。これにより、硬貨Ｃ１，Ｃ３，Ｃ５の自重で、対応するコイン取出口２０の開口領域から、所望のコイン収納部１３Ａ，１３Ｃ，１３Ｅに収納された所望枚数の硬貨Ｃ１，Ｃ３，Ｃ５を、一度に取り出すことができる。その際、各開閉シャッタ２１の最先側の細板片２４Ａには、その裏面に仕分け爪２５が下方へ突出しているため、対応するコイン収納部１３Ａ，１３Ｃ，１３Ｅに収納された硬貨Ｃ１，Ｃ３，Ｃ５の群体を、コイン取出口２０から取り出される小群と、コイン収納部１３Ａ，１３Ｃ，１３Ｅに残る小群とに正確に振り分けることができる。
【００４９】
特に、開閉シャッタ２１は厚さ数ｍｍのプラスチック製であることから、その最先側の細板片２４Ａの長さ方向の中央部を指Ｆで下方へ押圧すれば、この部分が下方へ湾曲し、その湾曲部分の下面から突出した仕分け爪２５が、対応する硬貨Ｃ１，Ｃ３，Ｃ５の群体のうち、取り出し側の小群と残部側の小群との隙間に差し込まれる（図１１および図１２）。これにより、所望の枚数の硬貨Ｃをさらに正確に取り出すことができる。
なお、この実施例２では、コインケース１０Ａとして１円硬貨Ｃ１，１０円硬貨Ｃ３，１００円硬貨Ｃ５の３種類の硬貨を１列に収納するものを採用したが、これに限定しなくてもよい。例えば、１円硬貨Ｃ１〜５００円硬貨Ｃ６を１列に並べたものでも、６種類のコイン収納部を左右２列に並べたものでもよい。さらには、各種のコインを収納する複数のコインケースを、突き合わされるケース本体の所定の側板間または底面間に設けられた係合構造体（例えば雄嵌合部と雌嵌合部、マグネット、面ファスナなど）により着脱自在に連結してもよい。
その他の構成、作用および効果は、実施例１から推測可能な範囲であるため説明を省略する。
【産業上の利用可能性】
【００５０】
本考案は、複数のコイン収納部に、複数枚のコインを種類別に収納可能なコインケースとして有用である。
【符号の説明】
【００５１】
１０，１０Ａ  コインケース
１１、１１Ａ  蓋体
１２、１２Ａ  ケース本体
１３Ａ  １円硬貨用のコイン収納部
１３Ｂ  ５円硬貨用のコイン収納部
１３Ｃ  １０円硬貨用のコイン収納部
１３Ｄ  ５０円硬貨用のコイン収納部
１３Ｅ  １００円硬貨用のコイン収納部
１３Ｆ  ５００円硬貨用のコイン収納部
１３ａ〜１３ｇ  長さ方向の一端側
１５ａ〜１５ｄ  側板
１６  仕切り板
１７  上板
１９  長窓部
２０  コイン取出口
２１  開閉シャッタ
Ｃ１  円硬貨（コイン）
Ｃ２  円硬貨（コイン）
Ｃ３  １０円硬貨（コイン）
Ｃ４  ５０円硬貨（コイン）
Ｃ５  １００円硬貨（コイン）
Ｃ６  ５００円硬貨（コイン）
Ｐ  点字
【図１】
0003203035.tif 000003
【図２】
0003203035.tif 000004
【図３】
0003203035.tif 000005
【図４】
0003203035.tif 000006
【図５】
0003203035.tif 000007
【図６】
0003203035.tif 000008
【図７】
0003203035.tif 000009
【図８】
0003203035.tif 000010
【図９】
0003203035.tif 000011
【図１０】
0003203035.tif 000012
【図１１】
0003203035.tif 000013
【図１２】
0003203035.tif 000014